(57)【特許請求の範囲】
【請求項１】
広帯域な信号線を介して入力される入力信号に対して信号処理を施す複数の信号処理部を、狭帯域な制御線を介して制御情報を送信することで制御する信号処理装置において、
前記信号処理部に対する前記信号処理の機能の変更の命令を示す命令コードのうちの、複数の前記信号処理部全体に関わる前記信号処理の機能の変更の命令を示す前記命令コードを記憶する記憶手段と、
前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替手段と、
複数の前記信号処理部全体に関わる前記信号処理の機能の変更を実行するための前記制御情報を、前記切替手段によって前記制御情報の通信路に切り替えられた前記信号線を介して、複数の前記信号処理部に送信する送信手段と
を備える信号処理装置。
【請求項２】
前記命令コードが入力されたとき、入力された前記命令コードが前記記憶手段に記憶されているか否かに基づいて、前記制御情報を送信する通信路として、前記制御線または前記信号線を選択する選択手段をさらに備える
請求項１に記載の信号処理装置。
【請求項３】
前記送信手段は、前記制御情報を、前記信号線を介して、デイジーチェーンで接続された複数の前記信号処理部に送信する
請求項１に記載の信号処理装置。
【請求項４】
広帯域な信号線を介して入力される入力信号に対して信号処理を施す複数の信号処理部を、狭帯域な制御線を介して制御情報を送信することで制御する信号処理装置であって、前記信号処理部に対する前記信号処理の機能の変更の命令を示す命令コードのうちの、複数の前記信号処理部全体に関わる前記信号処理の機能の変更の命令を示す前記命令コードを記憶する記憶手段を備える信号処理装置の制御方法において、
前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替ステップと、
複数の前記信号処理部全体に関わる前記信号処理の機能の変更を実行するための前記制御情報を、前記切替ステップの処理によって前記制御情報の通信路に切り替えられた前記信号線を介して、複数の前記信号処理部に送信する送信ステップと
を含む制御方法。
【請求項５】
広帯域な信号線を介して入力される入力信号に対して信号処理を施す複数の信号処理部を、狭帯域な制御線を介して制御情報を送信することで制御する信号処理装置であって、前記信号処理部に対する前記信号処理の機能の変更の命令を示す命令コードのうちの、複数の前記信号処理部全体に関わる前記信号処理の機能の変更の命令を示す前記命令コードを記憶する記憶手段を備える信号処理装置を制御する処理をコンピュータに実行させるプログラムにおいて、
前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替ステップと、
複数の前記信号処理部全体に関わる前記信号処理の機能の変更を実行するための前記制御情報を、前記切替ステップの処理によって前記制御情報の通信路に切り替えられた前記信号線を介して、複数の前記信号処理部に送信する送信ステップと
を含む処理をコンピュータに実行させるプログラム。
【発明の詳細な説明】
【技術分野】
【０００１】
本発明は、信号処理装置および制御方法、信号処理方法、プログラム、並びに信号処理システムに関し、特に、被制御部の数が増えた場合でも、被制御部の制御を安定して行うことができるようにする信号処理装置および制御方法、信号処理方法、プログラム、並びに信号処理システムに関する。
【背景技術】
【０００２】
従来の信号処理システムにおいては、複数の信号処理部を制御する制御部は、制御専用の高速ではない通信路（以下、適宜、制御線と称する）を介して各信号処理部と接続され、制御を行っていた。この構成は、制御部の処理容量や通信帯域が、被制御部である信号処理部の数に対して余裕がある場合には、適切な構成であった。
【０００３】
例えば、書込み方向の書込みインタフェース部と読取り方向の読取りインタフェース部とを備える制御部に、書込みインタフェース部から読取りインタフェース部に一巡するようにバスをループ状に接続し、このバスに１以上の被制御部を接続し、制御部の書込みインタフェース部からバスに送出した信号を被制御部が受信し、それに応じて該当する被制御部がバスを通して制御部の読取りインタフェース部に信号を送出するシステムが提案されている（例えば、特許文献１参照）。
【０００４】
上述のような信号処理システムにおいて、新たに信号処理部を追加する場合、信号処理部を追加する毎に、制御部が信号処理部に供給する制御情報の量が増加するので、制御部の負荷が上昇し、また、通信帯域の余裕が少なくなる。結果として、制御部の処理容量や通信帯域が十分でなくなり、信号処理システムにおける制御が破綻する可能性が出てくる。
【０００５】
そこで、上述のような信号処理システムにおける制御の破綻を避けるために、一般的には、制御線の帯域を拡大するか、または、制御部の処理容量を増加する手法が考えられる。
【０００６】
【特許文献１】特開平６−９６００１号公報
【発明の開示】
【発明が解決しようとする課題】
【０００７】
しかしながら、一度構築した信号処理システムの制御系を新たに換装することは、信号処理システムのユーザにとって面倒な作業であり、コストがかかるため、信号処理システム全体を切り替えることが多い。また、信号処理システム全体を切り替えることは、さらにコストがかかる。
【０００８】
ところで、上述した信号処理システムにおいて行われる制御は、大きく２つのパターンに区分される。１つは、信号処理システムの機能のうちの全てまたは一部の機能を全く他の機能に変更する場合に行われる制御であり、もう１つは、機能自体はそのままで機能に用いる動作パラメータ等を変更する場合に行われる制御である。
【０００９】
前者は、例えば、信号処理システムに入力される入力信号のフォーマットが変更された場合が考えられる。この場合、信号処理システム全体の設定を大きく変更する必要があるため、制御部が信号処理部に供給する制御情報の量が一時的に増加する。
【００１０】
一方、後者は、例えば、映像の明るさやコントラストを変更する場合が考えられる。この場合、信号処理部の一部に対して、一部のパラメータを変更するだけでよく、制御部が信号処理部に供給する制御情報の量は、前者の場合と比較して少ない。
【００１１】
すなわち、制御部が信号処理部に供給する制御情報の量には偏りがある。
【００１２】
一般に、信号処理システムにおいて、信号の通信路である信号線と制御線とは、要求される信号の用途と目的とが異なるので、それぞれ別個に設けられる。
【００１３】
これに対して、近年、コンピュータのアーキテクチャにおいて、信号線と制御線とを併せる手法が提案されている。
【００１４】
しかしながら、連続的に供給されてくる画像信号や音声信号を遅滞なく処理するためには、CPU（Central Processing Unit）、メモリ、バス等の通信速度を、画像信号や音声信号の速度に対して何倍にも大きくする必要があり、消費電力や発熱量の増大、信号処理に用いられるソフトウェアのバグ潜在の可能性等を考えると、適切な構成とは言えない。
【００１５】
本発明は、このような状況に鑑みてなされたものであり、制御情報を送信する通信路として、制御線と信号線とを使い分けることで、被制御部の数が増えた場合でも、被制御部の制御を安定して行うことができるようにするものである。
【課題を解決するための手段】
【００１６】
本発明の一側面の信号処理装置は、広帯域な信号線を介して入力される入力信号に対して信号処理を施す複数の信号処理部を、狭帯域な制御線を介して制御情報を送信することで制御する信号処理装置において、前記信号処理部に対する前記信号処理の機能の変更の命令を示す命令コードのうちの、複数の前記信号処理部全体に関わる前記信号処理の機能の変更の命令を示す前記命令コードを記憶する記憶手段と、前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替手段と、複数の前記信号処理部全体に関わる前記信号処理の機能の変更を実行するための前記制御情報を、前記切替手段によって前記制御情報の通信路に切り替えられた前記信号線を介して、複数の前記信号処理部に送信する送信手段とを備える。
【００１８】
前記命令コードが入力されたとき、入力された前記命令コードが前記記憶手段に記憶されているか否かに基づいて、前記制御情報を送信する通信路として、前記制御線または前記信号線を選択する選択手段をさらに設けることができる。
【００１９】
前記送信手段には、前記制御情報を、前記信号線を介して、デイジーチェーンで接続された複数の前記信号処理部に送信させることができる。
【００２１】
本発明の一側面の制御方法は、広帯域な信号線を介して入力される入力信号に対して信号処理を施す複数の信号処理部を、狭帯域な制御線を介して制御情報を送信することで制御する信号処理装置であって、前記信号処理部に対する前記信号処理の機能の変更の命令を示す命令コードのうちの、複数の前記信号処理部全体に関わる前記信号処理の機能の変更の命令を示す前記命令コードを記憶する記憶手段を備える信号処理装置の制御方法であって、前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替ステップと、複数の前記信号処理部全体に関わる前記信号処理の機能の変更を実行するための前記制御情報を、前記切替ステップの処理によって前記制御情報の通信路に切り替えられた前記信号線を介して、複数の前記信号処理部に送信する送信ステップとを含む。
【００２２】
本発明の一側面のプログラムは、広帯域な信号線を介して入力される入力信号に対して信号処理を施す複数の信号処理部を、狭帯域な制御線を介して制御情報を送信することで制御する信号処理装置であって、前記信号処理部に対する前記信号処理の機能の変更の命令を示す命令コードのうちの、複数の前記信号処理部全体に関わる前記信号処理の機能の変更の命令を示す前記命令コードを記憶する記憶手段を備える信号処理装置を制御する処理をコンピュータに実行させるプログラムであって、前記記憶手段に記憶されている前記命令コードが入力されたとき、前記信号線を、前記入力信号の通信路から、複数の前記信号処理部全体に関わる前記信号処理の機能の変更を実行するための前記制御情報の通信路に切り替える切替ステップと、複数の前記信号処理部全体に関わる前記信号処理の機能の変更を実行するための前記制御情報を、前記切替ステップの処理によって前記制御情報の通信路に切り替えられた前記信号線を介して、複数の前記信号処理部に送信する送信ステップとを含む処理をコンピュータに実行させる。
【００２９】
本発明の一側面においては、信号処理部に対する信号処理の機能の変更の命令を示す命令コードのうちの、複数の信号処理部全体に関わる信号処理の機能の変更の命令を示す命令コードが記憶され、記憶されている命令コードが入力されたとき、信号線が、入力信号の通信路から、複数の信号処理部全体に関わる信号処理の機能の変更を実行するための制御情報の通信路に切り替えられ、複数の信号処理部全体に関わる信号処理の機能の変更を実行するための制御情報が、制御情報の通信路に切り替えられた信号線を介して、複数の信号処理部に送信される。
【発明の効果】
【００３２】
本発明の第１乃至第３の側面によれば、被制御部の数が増えた場合でも、被制御部の制御を安定して行うことが可能となる。
【発明を実施するための最良の形態】
【００３３】
以下、本発明の実施の形態について図を参照して説明する。
【００３４】
図１は、本発明を適用した信号処理装置の一実施の形態の構成例を示す図である。
【００３５】
図１の信号処理装置１１は、映像信号や音声信号などの入力信号に対して、所定の信号処理を施し、その出力信号を、図示せぬ映像表示装置や音声出力装置に出力する。また、信号処理装置１１は、ユーザの操作に基づいて、信号処理装置１１全体の機能の変更や、信号処理装置１１の一部の設定の変更を制御する。
【００３６】
図１の信号処理装置１１は、操作入力部３１、制御部３２、セレクタ３３、および被制御部３４−１乃至３４−４から構成される。
【００３７】
図１の信号処理装置１１において、被制御部３４−１乃至３４−４それぞれは、図中、細線で示される、帯域の狭い制御線と、太線で示される、制御線と比較して帯域の広い信号線とによってデイジーチェーンで接続されている。
【００３８】
操作入力部３１は、例えば、各種の操作ボタンやダイヤル等から構成され、信号処理装置１１に対する指示が入力されるとき、ユーザに操作され、その操作内容に対応した操作信号を発生し、制御部３２に供給する。
【００３９】
より具体的には、例えば、操作入力部３１は、信号処理装置１１において、信号処理装置１１全体の機能の変更や、信号処理装置１１の一部の設定の変更が指示されるとき、ユーザにより操作され、その操作内容に対応した操作信号を発生し、制御部３２に供給する。
【００４０】
制御部３２は、制御線を介して、信号処理装置１１全体またはその一部の動作を制御する。例えば、制御部３２は、操作入力部３１からの操作信号に応じて、動作を指示する動作指示情報を、制御線を介して、被制御部３４−１乃至３４−４に供給し、信号線を介して入力される入力信号に対して、所定の信号処理を行わせる。
【００４１】
また、制御部３２は、制御線または信号線を介して、信号処理部としての被制御部３４−１乃至３４−４を制御する。ここでいう制御とは、被制御部３４−１乃至３４−４が有する機能を更新したり、被制御部３４−１乃至３４−４それぞれの動作に用いられる動作パラメータを変更したりすることを示し、以下、同様の意味で用いることとする。
【００４２】
例えば、制御部３２は、操作入力部３１からの操作信号に応じて、制御の内容を実行するための制御情報を、制御線を介して、被制御部３４−１乃至３４−４の全部または一部に供給（送信）する。
【００４３】
また、例えば、制御部３２は、操作入力部３１からの操作信号に応じて、被制御部３４−１乃至３４−４の全部または一部を制御するときの通信路を切り替える旨の指示を、セレクタ３３に供給する。そして、制御部３２は、制御の内容を実行するための制御情報を、セレクタ３３および信号線を介して、被制御部３４−１乃至３４−４の全部または一部に送信する。
【００４４】
制御部３２が送信する制御情報には、例えば、送信の宛先を示す宛先ID（Identification）が付加されており、被制御部３４−１乃至３４−４は、自身の機器IDと一致する宛先IDが付加されている制御情報を取得（受信）する。
【００４５】
セレクタ３３は、制御部３２から供給された通信路を切り替える旨の指示に基づいて、信号線を、入力信号の通信路から、制御信号の通信路に切り替える。
【００４６】
被制御部３４−１乃至３４−４は、制御部３２の制御の下、信号処理装置１１に入力された入力信号に対して所定の信号処理を施す他、自身の機能の更新や、動作パラメータの変更等を行う。
【００４７】
なお、被制御部３４−１乃至３４−４のそれぞれを区別する必要がない場合は、単に、被制御部３４と称するものとし、その他の同様の構成についても同様に称するものとする。
【００４８】
また、被制御部３４は、図１に示されるように、４個の被制御部３４に限らず、その他の１以上の数から構成されるようにしてもよい。
【００４９】
次に、図２を参照して、制御部３２の具体的な構成例について説明する。
【００５０】
図２の制御部３２は、入力制御部５１、通信路判断テーブル５２、通信路選択部５３、制御線通信制御部５４、制御情報記憶部５５、および信号線通信制御部５６から構成される。
【００５１】
入力制御部５１は、操作入力部３１からの操作信号に含まれる、信号処理装置１１に対するユーザの操作（命令）に対応した命令コードが入力されたか否かを判定する。また、入力制御部５１は、入力された命令コードに対応する、信号処理装置１１に対する制御の内容を表す制御内容情報が、通信路判断テーブル５２に記憶されているか否かを判定し、その判定結果を、通信路選択部５３に供給する。
【００５２】
通信路判断テーブル５２は、信号処理装置１１に対するユーザの操作（命令）に対応した命令コードと、制御内容情報とを、対応付けて記憶する。
【００５３】
なお、通信路判断テーブル５２に記憶されている制御内容情報が表す制御の内容は、例えば、ファームウェアのアップデート等の、信号処理装置１１全体（複数の被制御部３４全体）の機能の変更の内容とされる。また、制御内容情報が表す制御の内容を実行するために、被制御部３４それぞれに送信される制御情報の情報量は、制御線より広帯域な信号線を介して送信されるべき量とされる。すなわち、通信路判断テーブル５２に記憶されている制御内容情報は、信号線を介して送信される制御情報によって実行される制御の内容に対応している。
【００５４】
通信路選択部５３は、入力制御部５１からの判定結果を基に、制御情報を被制御部３４に送信する通信路を選択する。
【００５５】
具体的には、入力制御部５１において、入力された命令コードに対応する制御内容情報が、通信路判断テーブル５２に記憶されていると判定された場合、その制御内容情報に対応する制御情報は、信号線を介して供給されるべきものである。そこで、このような場合、通信路選択部５３は、セレクタ３３に、信号線を制御信号の通信路に切り替える旨の指示を供給する。また、通信路選択部５３は、命令コードを、信号線通信制御部５６に供給する。
【００５６】
また、入力制御部５１において、入力された命令コードに対応する制御内容情報が、通信路判断テーブル５２に記憶されていないと判定された場合、その制御内容情報に対応する制御情報は、信号線を介して供給されるべきものではない（制御線の帯域で十分な情報量のものである）。そこで、このような場合、通信路選択部５３は、セレクタ３３に、信号線を入力信号の通信路のままとする旨の指示を供給する。また、通信路選択部５３は、命令コードを、制御線通信制御部５４に供給する。
【００５７】
制御線通信制御部５４は、通信路選択部５３から供給された命令コードを基に、対応する制御情報を、制御情報記憶部５５から読み出し、制御線を介して、制御情報を含む制御信号として被制御部３４に送信する。
【００５８】
制御情報記憶部５５は、被制御部３４が機能の更新や動作パラメータの変更等を実行するための情報である制御情報を、命令コードと対応付けて記憶している。
【００５９】
例えば、機能の更新を実行するための制御情報は、被制御部３４それぞれに供給される上、被制御部３４が有する機能全般に影響するので、その情報量は多くなる。また、動作パラメータの変更を実行するための制御情報は、被制御部３４の一部に供給されるだけであり、例えば、既存の動作パラメータの、デフォルト値からの差分を示すに過ぎないので、その情報量は少なくて済む。
【００６０】
信号線通信制御部５６は、通信路選択部５３から供給された命令コードを基に、対応する制御情報を、制御情報記憶部５５から読み出し、セレクタ３３に供給し、信号線を介して、制御情報を含む制御信号として被制御部３４に送信する。
【００６１】
次に、図３を参照して、被制御部３４の具体的な構成例について説明する。
【００６２】
図３の被制御部３４は、制御線通信制御部７１、制御情報取得部７２、パラメータ設定部７３、信号線通信制御部７４、信号判定部７５、信号処理部７６、および機能変更部７７から構成される。
【００６３】
制御線通信制御部７１は、制御線を介して、制御部３２から送信されてきた制御信号の受信を制御する。例えば、制御線通信制御部７１は、制御部３２から送信される制御情報のうち、自身の機器IDと一致する宛先IDが付加されている制御情報が含まれる制御信号の受信を制御する。
【００６４】
制御情報取得部７２は、制御線通信制御部７１または信号判定部７５から、制御情報を取得し、被制御部３４内での用途を判断し、その用途に応じて、パラメータ設定部７３または機能変更部７７に供給する。
【００６５】
パラメータ設定部７３は、制御情報取得部７２から供給された制御情報に基づいて、被制御部３４内の動作パラメータを設定（変更）する。
【００６６】
信号線通信制御部７４は、信号線を介して送信されてきた入力信号の送受信、または、制御部３２から送信されてきた制御信号の受信を制御する。例えば、信号線通信制御部７４は、制御部３２から送信される制御情報のうち、自身の機器IDと一致する宛先IDが付加されている制御情報が含まれる制御信号の受信を制御する。
【００６７】
信号判定部７５は、信号線通信制御部７４において受信された信号が、入力信号であるか、制御信号であるかを判定する。信号線通信制御部７４において受信された信号が、入力信号である場合、信号判定部７５は、その入力信号を信号線通信制御部７４から取得し、信号処理部７６に供給する。また、信号線通信制御部７４において受信された信号が、制御信号である場合、信号判定部７５は、その制御信号を信号線通信制御部７４から取得し、制御信号に含まれる制御情報を、制御情報取得部７２に取得させる。
【００６８】
信号処理部７６は、信号判定部７５から供給された入力信号に対して、所定の信号処理を施し、信号線通信制御部７４に供給する。
【００６９】
機能変更部７７は、制御情報取得部７２から供給された制御情報に基づいて、信号処理部７６が有する機能を変更する。
【００７０】
次に、図４および図５のフローチャートを参照して、図２の制御部３２の通信路選択処理、および、図３の被制御部３４の制御内容実行処理について説明する。
【００７１】
図４のフローチャートのステップＳ１１において、制御部３２の入力制御部５１は、操作入力部３１からの操作信号に含まれる、信号処理装置１１に対するユーザの操作（命令）に対応した命令コードが入力されたか否かを判定する。
【００７２】
ステップＳ１１において、命令コードが入力されたと判定された場合、処理は、ステップＳ１２に進み、入力制御部５１は、入力された命令コードに対応する制御内容情報が、通信路判断テーブル５２に記憶されているか否かを判定する。
【００７３】
ステップＳ１２において、命令コードに対応する制御内容情報が、通信路判断テーブル５２に記憶されていると判定された場合、入力制御部５１は、命令コードに対応する制御内容情報が、通信路判断テーブル５２に記憶されている旨の判定結果を、通信路選択部５３に供給して、処理は、ステップＳ１３に進む。
【００７４】
ステップＳ１３において、通信路選択部５３は、入力制御部５１からの判定結果に応じて、セレクタ３３に、信号線を制御信号の通信路に切り替える旨の指示を供給する。また、通信路選択部５３は、命令コードを、信号線通信制御部５６に供給する。
【００７５】
例えば、被制御部３４それぞれに格納されているファームウェアをアップデートするのに必要な制御情報は、それぞれの被制御部３４に関わるものであり、その情報量は大きいものとなる。すなわち、そのアップデートに必要な制御情報に対応する制御内容情報は、通信路判断テーブル５２には記憶されている。そこで、ユーザの操作（命令）により、被制御部３４それぞれに格納されているファームウェアをアップデートすることを示す命令コードが入力された場合、入力制御部５１は、命令コードに対応する制御内容情報が、通信路判断テーブル５２に記憶されている旨の判定結果を、通信路選択部５３に供給する。通信路選択部５３は、入力制御部５１の判定結果に応じて、セレクタ３３に、信号線を制御信号の通信路に切り替えさせる。また、通信路選択部５３は、被制御部３４それぞれに格納されているファームウェアをアップデートすることを示す命令コードを信号線通信制御部５６に供給する。
【００７６】
ステップＳ１４において、信号線通信制御部５６は、通信路選択部５３から供給された命令コードを基に、対応する制御情報を、制御情報記憶部５５から読み出し、セレクタ３３に供給し、信号線を介して、制御情報を含む制御信号として被制御部３４に送信する。このとき信号線通信制御部５６が送信する制御情報には、例えば、送信の宛先として被制御部３４−１乃至３４−４それぞれを示す宛先IDが付加されている。
【００７７】
例えば、信号線通信制御部５６は、通信路選択部５３から供給された命令コードを基に、被制御部３４それぞれに格納されているファームウェアをアップデートするのに必要な制御情報を、制御情報記憶部５５から読み出し、セレクタ３３に供給する。セレクタ３３においては、信号線は制御信号の通信路に切り替えられているので、被制御部３４それぞれに格納されているファームウェアをアップデートするのに必要な制御情報は、信号線を介して、制御信号として被制御部３４それぞれに送信される。
【００７８】
また、このとき、制御線通信制御部５４は、被制御部３４それぞれに対して、信号線を介して制御情報が送信される旨の信号を、制御線を介して送信するようにしてもよい。これにより、被制御部３４は、信号線を介しての制御情報の受信を可能とするモードに推移することができる。
【００７９】
このように、セレクタ３３の動作により、信号線は制御信号の通信路となっているので、入力信号は入力されず、被制御部３４それぞれにおける入力信号に対する信号処理も実行されなくなる。しかしながら、信号線を介して制御信号が送信されるときは、信号処理装置１１全体に影響する機能の更新が実行されるときであり、そのような機能の更新を実行しながら、入力信号に対する信号処理を行うことは、出力信号に対して少なからず悪影響を与える。したがって、入力信号は、機能の更新後に入力されればよく、信号線が制御信号の通信路となっている間は、入力信号は入力されなくてよい。
【００８０】
図４のフローチャートのステップＳ１４の処理の後、図５のフローチャートのステップＳ６１において、被制御部３４の信号判定部７５は、制御信号が信号線を介して送信されてきたか否かを判定する。より具体的には、信号判定部７５は、信号線通信制御部７４において受信された信号が、自身の機器IDと一致する宛先IDが付加されている制御情報を含む制御信号であるか否かを判定する。
【００８１】
この場合、ステップＳ６１においては、制御信号が信号線を介して送信されてきたと判定され、信号判定部７５は、その制御信号を信号線通信制御部７４から取得し、処理は、ステップＳ６２に進む。
【００８２】
なお、このとき、制御線通信制御部７１が、制御部３２から制御線を介して送信されてきた、信号線を介して制御情報が送信される旨の信号を受信することで、信号線を介しての制御情報の受信を可能とするモードに推移するようにしてもよい。
【００８３】
ステップＳ６２において、制御情報取得部７２は、信号判定部７５が取得した制御信号から制御情報を取得し、機能変更部７７に供給する。
【００８４】
ステップＳ６３において、機能変更部７７は、制御情報取得部７２から供給された制御情報に基づいて、信号処理部７６が有する機能を変更する。
【００８５】
例えば、被制御部３４の信号処理部７６それぞれに格納されているファームウェアをアップデートするのに必要な制御情報を含む制御信号が、信号線を介して送信されてきた場合、信号判定部７５は、その制御信号を信号線通信制御部７４から取得する。制御情報取得部７２は、その制御信号から制御情報を取得し、機能変更部７７に供給する。機能変更部７７は、制御情報取得部７２から供給された制御情報に基づいて、信号処理部７６に格納されているファームウェアをアップデートする。
【００８６】
一方、図４のフローチャートのステップＳ１２において、命令コードに対応する制御内容情報が、通信路判断テーブル５２に記憶されていないと判定された場合、入力制御部５１は、命令コードに対応する制御内容情報が、通信路判断テーブル５２に記憶されていない旨の判定結果を、通信路選択部５３に供給して、処理は、ステップＳ１５に進む。
【００８７】
ステップＳ１５において、通信路選択部５３は、入力制御部５１からの判定結果に応じて、セレクタ３３に、信号線を入力信号の通信路のままとする旨の指示を供給する。また、通信路選択部５３は、命令コードを、制御線通信制御部５４に供給する。
【００８８】
例えば、被制御部３４の一部の動作パラメータを変更するのに必要な制御情報は、一部の被制御部３４のみに関わるものであり、その情報量は小さいものとなる。すなわち、その動作パラメータの変更に必要な制御情報に対応する制御内容情報は、通信路判断テーブル５２には記憶されていない。そこで、ユーザの操作（命令）により、被制御部３４の一部の動作パラメータを変更することを示す命令コードが入力された場合、入力制御部５１は、命令コードに対応する制御内容情報が、通信路判断テーブル５２に記憶されていない旨の判定結果を、通信路選択部５３に供給する。通信路選択部５３は、入力制御部５１からの判定結果に応じて、セレクタ３３に、信号線を入力信号の通信路のままとさせる。また、通信路選択部５３は、被制御部３４の一部の動作パラメータを変更することを示す命令コードを制御線通信制御部５４に供給する。
【００８９】
ステップＳ１６において、制御線通信制御部５４は、通信路選択部５３から供給された命令コードを基に、対応する制御情報を、制御情報記憶部５５から読み出し、セレクタ３３に供給し、制御線を介して、被制御部３４に送信する。このとき制御線通信制御部５４が送信する制御情報には、例えば、送信の宛先として被制御部３４−２を示す宛先IDが付加されている。
【００９０】
例えば、制御線通信制御部５４は、通信路選択部５３から供給された命令コードを基に、被制御部３４の一部の動作パラメータを変更するのに必要な制御情報を、制御情報記憶部５５から読み出し、セレクタ３３に供給する。セレクタ３３においては、信号線は、入力信号の通信路のままとされているので、被制御部３４−２の動作パラメータを変更するのに必要な制御情報は、制御線を介して、被制御部３４−２に送信される。
【００９１】
このように、セレクタ３３の動作により、信号線は入力信号の通信路のままとなっているので、入力信号は入力され、被制御部３４それぞれにおける信号処理は実行される。制御線を介して制御信号が送信されるときは、信号処理装置１１の一部に影響する動作パラメータの変更等が実行されるときである。このような動作パラメータの変更等は、入力信号に対する信号処理を行った状態で実行される必要があることと、出力信号に対しても影響を与えることはない。したがって、制御線が制御信号の通信路となっている間は、入力信号は入力されて問題ない。
【００９２】
図４のフローチャートのステップＳ１６の処理の後、図５のフローチャートのステップＳ６１においては、制御信号が信号線から供給されていないと判定され、処理は、ステップＳ６４に進む。
【００９３】
ステップＳ６４において、制御線通信制御部７１は、自身の機器IDと一致する宛先IDが付加されている制御信号が含まれる制御信号が制御線を介して送信されてきたか否かを判定する。
【００９４】
ステップＳ６４において、制御信号が制御線を介して送信されてきたと判定された場合、処理は、ステップＳ６５に進み、制御情報取得部７２は、制御信号から自身の機器IDと一致する宛先IDが付加されている制御情報を取得し、パラメータ設定部７３に供給して、処理は、ステップＳ６６に進む。
【００９５】
ステップＳ６６において、パラメータ設定部７３は、制御情報取得部７２から供給された制御情報に基づいて、被制御部３４内の動作パラメータを設定（変更）する。
【００９６】
例えば、被制御部３４の信号処理部７６の動作パラメータを変更するのに必要な制御情報を含む制御信号が、制御線を介して送信されてきた場合、制御情報取得部７２は、その制御信号から制御情報を取得し、パラメータ設定部７３に供給する。パラメータ設定部７３は、制御情報取得部７２から供給された制御情報に基づいて、信号処理部７６の動作パラメータを変更する。
【００９７】
また、図４のフローチャートのステップＳ１１において、命令コードが入力されていないと判定された場合、命令コードが入力されたと判定されるまで、ステップＳ１１の処理を繰り返す。
【００９８】
さらに、図５のフローチャートのステップＳ６４において、制御信号が制御線を介して送信されていないと判定された場合、処理は、ステップＳ６１に戻り、制御信号が、信号線または制御線のいずれかを介して送信されてくるまで、ステップＳ６１およびステップＳ６４の処理を繰り返す。
【００９９】
以上の処理により、制御部３２は、命令コードに応じて、制御情報を送信する通信路を選択することができ、被制御部３４は、制御線または信号線を介して送信されてきた制御情報に基づいて、制御の内容を実行することができる。
【０１００】
結果として、制御情報の情報量が大きい場合には、制御部３２は、広帯域な信号線を介して、制御信号を被制御部３４に送信することができ、被制御部３４は、その制御情報に基づいて、信号処理部７６の機能を変更することができる。また、制御情報の情報量が小さい場合には、制御部３２は、狭帯域な制御線を介して、制御信号を被制御部３４に送信することができ、被制御部３４は、その制御情報に基づいて、信号処理部７６の動作パラメータを設定することができる。したがって、通信路の負荷を安定させることができるので、被制御部３４の数が増えた場合でも、被制御部３４の制御を安定して行うことができる。
【０１０１】
また、被制御部３４は、デイジーチェーンで接続されているので、被制御部３４の数が増えた場合でも、バス接続において接続数が増えたときにバスの伝送特性が悪化するといった問題を回避することができ、被制御部３４の制御を安定して行うことができる。
【０１０２】
なお、図５のフローチャートにおいて、ステップＳ６２，Ｓ６３と、ステップＳ６５，Ｓ６６とは、並列に処理されるようにもできる。
【０１０３】
以上においては、入力信号に対して所定の信号処理を施し、出力信号を出力する信号処理装置について説明してきたが、上述した構成は、例えば、映像信号を処理する映像処理装置に適用することができる。
【０１０４】
図６は、本発明を適用した映像処理装置の構成例を示している。
【０１０５】
図６の映像処理装置１１１は、映像入力信号に対して、所定の映像信号処理を施し、その映像出力信号を、図示せぬ映像表示装置に出力する。また、映像処理装置１１１は、ユーザの操作に基づいて、映像処理装置１１１全体の機能の変更や、映像処理装置１１１の一部の設定の変更を制御する。
【０１０６】
図６の映像処理装置１１１は、操作入力部１３１、制御部１３２、セレクタ１３３、および被制御部１３４−１乃至１３４−４から構成される。
【０１０７】
なお、図６においては、操作入力部１３１、制御部１３２、セレクタ１３３、および被制御部１３４−１乃至１３４−４はそれぞれ、図１の操作入力部３１、制御部３２、セレクタ３３、および被制御部３４−１乃至３４−４と対応する。すなわち、図６の映像処理装置１１１は、映像信号に対する処理を行う点以外は、基本的に、図１の信号処理装置１１と同様の構成を有するものであり、その説明は省略する。
【０１０８】
図７は、図６の制御部１３２の具体的な構成例を示している。
【０１０９】
図７の制御部１３２は、入力制御部１５１、通信路判断テーブル１５２、通信路選択部１５３、制御線通信制御部１５４、制御情報記憶部１５５、および信号線通信制御部１５６から構成される。
【０１１０】
なお、図７においては、入力制御部１５１、通信路判断テーブル１５２、通信路選択部１５３、制御線通信制御部１５４、制御情報記憶部１５５、および信号線通信制御部１５６はそれぞれ、図２の入力制御部５１、通信路判断テーブル５２、通信路選択部５３、制御線通信制御部５４、制御情報記憶部５５、および信号線通信制御部５６と対応する。すなわち、図７の制御部１３２は、映像信号を処理する被制御部１３４に対する制御を行う点以外は、基本的に、図２の制御部３２と同様の構成を有するものであり、その説明は省略する。
【０１１１】
図８は、図６の被制御部１３４の具体的な構成例を示している。
【０１１２】
図８の被制御部１３４は、制御線通信制御部１７１、制御情報取得部１７２、パラメータ設定部１７３、信号線通信制御部１７４、信号判定部１７５、映像信号処理部１７６、および機能変更部１７７から構成される。
【０１１３】
なお、図８においては、制御線通信制御部１７１、制御情報取得部１７２、パラメータ設定部１７３、信号線通信制御部１７４、信号判定部１７５、映像信号処理部１７６、および機能変更部１７７はそれぞれ、図３の制御線通信制御部７１、制御情報取得部７２、パラメータ設定部７３、信号線通信制御部７４、信号判定部７５、信号処理部７６、および機能変更部７７と対応する。すなわち、図８の被制御部１３４は、映像信号処理部１７６が映像信号を処理する点以外は、基本的に、図３の被制御部３４と同様の構成を有するものであり、その説明は省略する。
【０１１４】
次に、図９および図１０のフローチャートを参照して、図７の制御部１３２の通信路選択処理、および、図８の被制御部１３４の制御内容実行処理について説明する。
【０１１５】
図９のフローチャートのステップＳ１１１、および、ステップＳ１１３乃至ステップＳ１１６の処理は、基本的に、図４のフローチャートのステップＳ１１、および、ステップＳ１３乃至ステップＳ１６の処理と同様であるので、その説明は省略する。
【０１１６】
また、図１０の制御内容実行処理は、基本的に、図５のフローチャートを参照して説明した制御内容実行処理と同様にして行われるので、その説明は省略する。
【０１１７】
図９のフローチャートのステップＳ１１２において、入力制御部１５１は、入力された命令コードに対応する制御内容情報が、通信路判断テーブル１５２に記憶されているか否かを判定する。
【０１１８】
ここで、図１１を参照して、図９のフローチャートのステップＳ１１２において、入力制御部１５１によって参照される通信路判断テーブル１５２について説明する。
【０１１９】
図１１に示されるように、通信路判断テーブル１５２は、命令コード「０」に対応する制御内容情報「480i映像フォーマットに変更」を記憶し、命令コード「１０」に対応する制御内容情報「480p映像フォーマットに変更」を記憶している。
【０１２０】
また、通信路判断テーブル１５２は、命令コード「２０」に対応する制御内容情報「720p映像フォーマットに変更」を記憶し、命令コード「３０」に対応する制御内容情報「1080i映像フォーマットに変更」を記憶している。
【０１２１】
さらに、通信路判断テーブル１５２は、命令コード「４０」に対応する制御内容情報「1080p映像フォーマットに変更」を記憶し、命令コード「５０」に対応する制御内容情報「WXGA（Wide XGA（extended graphics array））映像フォーマットに変更」を記憶している。
【０１２２】
また、通信路判断テーブル１５２は、命令コード「６０」に対応する制御内容情報「4K2Kp映像フォーマットに変更」を記憶している。
【０１２３】
すなわち、図１１の通信路判断テーブル１５２によれば、制御部１３２において、例えば、ユーザの操作（命令）により、命令コード「４０」が入力された場合、入力制御部１５１は、命令コード「４０」に対応する制御内容情報「1080p映像フォーマットに変更」が、通信路判断テーブル１５２に記憶されている旨の判定結果を、通信路選択部１５３に供給する。通信路選択部１５３は、セレクタ１３３に、信号線を制御信号の通信路に切り替えさせるとともに、命令コード「４０」を信号線通信制御部１５６に供給する。信号線通信制御部１５６は、通信路選択部１５３から供給された命令コード「４０」を基に、1080p映像フォーマットに変更するのに必要な制御情報を、制御情報記憶部１５５から読み出し、セレクタ１３３に供給する。セレクタ１３３においては、信号線は、制御信号の通信路に切り替えられているので、1080p映像フォーマットに変更するのに必要な制御情報は、信号線を介して、制御信号として被制御部１３４それぞれに送信される。
【０１２４】
一方、被制御部１３４において、1080p映像フォーマットに変更するのに必要な制御情報を含む制御信号が、信号線を介して送信されてきた場合、信号判定部１７５は、その制御信号を信号線通信制御部１７４から取得する。制御情報取得部１７２は、その制御信号から制御情報を取得し、機能変更部１７７に供給する。機能変更部１７７は、制御情報取得部１７２から供給された制御情報に基づいて、映像信号処理部１７６の機能を、1080p映像フォーマットに対応するように変更する。
【０１２５】
また、制御部１３２において、例えば、ユーザの操作（命令）により、命令コード「２３８」が入力された場合、入力制御部１５１は、命令コード「２３８」に対応する制御内容情報が、通信路判断テーブル１５２に記憶されていない旨の判定結果を、通信路選択部１５３に供給する。通信路選択部１５３は、セレクタ３３に、信号線を入力信号の通信路のままとさせるとともに、命令コード「２３８」を制御線通信制御部１５４に供給する。制御線通信制御部１５４は、通信路選択部１５３から供給された命令コード「２３８」を基に、映像の明るさを変更するのに必要な制御情報を、制御情報記憶部１５５から読み出し、セレクタ１３３に供給する。セレクタ１３３においては、信号線は、入力信号の通信路のままとされているので、映像の明るさを変更するのに必要な制御情報は、制御線を介して、所定の被制御部１３４に送信される。
【０１２６】
一方、被制御部１３４において、映像の明るさを変更するのに必要な制御情報を含む制御信号が、制御線を介して送信されてきた場合、制御情報取得部１７２は、その制御信号から制御情報を取得し、パラメータ設定部１７３に供給する。パラメータ設定部１７３は、制御情報取得部１７２から供給された制御情報に基づいて、映像信号処理部１７６の動作パラメータを変更することで、映像の明るさを変更する。
【０１２７】
以上の処理により、制御部１３２は、命令コードに応じて、制御情報を送信する通信路を選択することができ、被制御部１３４は、制御線または信号線を介して送信されてきた制御情報に基づいて、制御の内容を実行することができる。
【０１２８】
結果として、制御情報の情報量が大きい場合には、制御部１３２は、広帯域な信号線を介して、制御信号を被制御部１３４に送信することができ、被制御部１３４は、その制御情報に基づいて、映像信号処理部１７６の機能を変更することができる。また、制御情報の情報量が小さい場合には、制御部１３２は、狭帯域な制御線を介して、制御信号を被制御部１３４に送信することができ、被制御部１３４は、その制御情報に基づいて、映像信号処理部１７６の動作パラメータを設定することができる。したがって、通信路の負荷を安定させることができるので、被制御部１３４の数が増えた場合でも、被制御部１３４の制御を安定して行うことができる。
【０１２９】
以上においては、映像入力信号に対して所定の映像信号処理を施し、映像出力信号を出力する映像処理装置について説明してきたが、上述した構成は、例えば、音声信号を処理する音声処理装置にも適用することができる。
【０１３０】
図１２は、本発明を適用した音声処理装置の構成例を示している。
【０１３１】
図１２の音声処理装置２１１は、音声入力信号に対して、所定の音声信号処理を施し、その音声出力信号を、図示せぬ音声出力装置に出力する。また、音声処理装置２１１は、ユーザの操作に基づいて、音声処理装置２１１全体の機能の変更や、音声処理装置２１１の一部の設定の変更を制御する。
【０１３２】
図１２の音声処理装置２１１は、操作入力部２３１、制御部２３２、セレクタ２３３、および被制御部２３４−１乃至２３４−４から構成される。
【０１３３】
なお、図１２においては、操作入力部２３１、制御部２３２、セレクタ２３３、および被制御部２３４−１乃至２３４−４はそれぞれ、図１の操作入力部３１、制御部３２、セレクタ３３、および被制御部３４−１乃至３４−４と対応する。すなわち、図１２の音声処理装置２１１は、音声信号に対する処理を行う点以外は、基本的に、図１の信号処理装置１１と同様の構成を有するものであり、その説明は省略する。
【０１３４】
図１３は、図１２の制御部２３２の具体的な構成例を示している。
【０１３５】
図１３の制御部２３２は、入力制御部２５１、通信路判断テーブル２５２、通信路選択部２５３、制御線通信制御部２５４、制御情報記憶部２５５、および信号線通信制御部２５６から構成される。
【０１３６】
なお、図１３においては、入力制御部２５１、通信路判断テーブル２５２、通信路選択部２５３、制御線通信制御部２５４、制御情報記憶部２５５、および信号線通信制御部２５６はそれぞれ、図２の入力制御部５１、通信路判断テーブル５２、通信路選択部５３、制御線通信制御部５４、制御情報記憶部５５、および信号線通信制御部５６と対応する。すなわち、図１３の制御部２３２は、音声信号を処理する被制御部２３４に対する制御を行う点以外は、基本的に、図２の制御部３２と同様の構成を有するものであり、その説明は省略する。
【０１３７】
図１４は、図１２の被制御部２３４の具体的な構成例を示している。
【０１３８】
図１４の被制御部２３４は、制御線通信制御部２７１、制御情報取得部２７２、パラメータ設定部２７３、信号線通信制御部２７４、信号判定部２７５、音声信号処理部２７６、および機能変更部２７７から構成される。
【０１３９】
なお、図１４においては、制御線通信制御部２７１、制御情報取得部２７２、パラメータ設定部２７３、信号線通信制御部２７４、信号判定部２７５、音声信号処理部２７６、および機能変更部２７７はそれぞれ、図３の制御線通信制御部７１、制御情報取得部７２、パラメータ設定部７３、信号線通信制御部７４、信号判定部７５、信号処理部７６、および機能変更部７７と対応する。すなわち、図１４の被制御部２３４は、音声信号処理部２７６が音声信号を処理する点以外は、基本的に、図３の被制御部３４と同様の構成を有するものであり、その詳細な説明は省略する。
【０１４０】
次に、図１５および図１６のフローチャートを参照して、図１３の制御部２３２の通信路選択処理、および、図１４の被制御部２３４の制御内容実行処理について説明する。
【０１４１】
図１５のフローチャートのステップＳ２１１、および、ステップＳ２１３乃至ステップＳ２１６の処理は、基本的に、図４のフローチャートのステップＳ１１、および、ステップＳ１３乃至ステップＳ１６の処理と同様であるので、その説明は省略する。
【０１４２】
また、図１６の制御内容実行処理は、基本的に、図５のフローチャートを参照して説明した制御内容実行処理と同様にして行われるので、その説明は省略する。
【０１４３】
図１５のフローチャートのステップＳ２１２において、入力制御部２５１は、入力された命令コードに対応する制御内容情報が、通信路判断テーブル２５２に記憶されているか否かを判定する。
【０１４４】
ここで、図１７を参照して、図１５のフローチャートのステップＳ２１２において、入力制御部２５１によって参照される通信路判断テーブル２５２について説明する。
【０１４５】
図１７に示されるように、通信路判断テーブル２５２は、命令コード「１００」に対応する制御内容情報「サンプリング周波数Fs=32kHz／LPCM（Linear Pulse Code Modulation）方式に変更」を記憶し、命令コード「２００」に対応する制御内容情報「サンプリング周波数Fs=44.1kHz／LPCM方式に変更」を記憶している。
【０１４６】
また、通信路判断テーブル２５２は、命令コード「３００」に対応する制御内容情報「サンプリング周波数Fs=48kHz／LPCM方式に変更」を記憶し、命令コード「４００」に対応する制御内容情報「サンプリング周波数Fs=64kHz／LPCM方式に変更」を記憶している。
【０１４７】
さらに、通信路判断テーブル２５２は、命令コード「５００」に対応する制御内容情報「サンプリング周波数Fs=88.2kHz／LPCM方式に変更」を記憶し、命令コード「６００」に対応する制御内容情報「サンプリング周波数Fs=96kHz／LPCM方式に変更」を記憶している。
【０１４８】
また、通信路判断テーブル２５２は、命令コード「７００」に対応する制御内容情報「サンプリング周波数Fs=192kHz／LPCM方式に変更」を記憶し、命令コード「８００」に対応する制御内容情報「Dolby Digitalに変更」を記憶している。
【０１４９】
さらに、通信路判断テーブル２５２は、命令コード「９００」に対応する制御内容情報「Dolby Digital EXに変更」を記憶し、命令コード「１０００」に対応する制御内容情報「Dolby Pro Logic-IIに変更」を記憶している。
【０１５０】
すなわち、図１７の通信路判断テーブル２５２によれば、制御部２３２において、例えば、ユーザの操作（命令）により、命令コード「４００」が入力された場合、入力制御部２５１は、命令コード「４００」に対応する制御内容情報「サンプリング周波数Fs=64kHz／LPCM方式に変更」が、通信路判断テーブル２５２に記憶されている旨の判定結果を、通信路選択部２５３に供給する。通信路選択部２５３は、セレクタ２３３に、信号線を制御信号の通信路に切り替えさせるとともに、命令コード「４００」を信号線通信制御部２５６に供給する。信号線通信制御部２５６は、通信路選択部２５３から供給された命令コード「４００」を基に、サンプリング周波数Fs=64kHzのLPCM方式に変更するのに必要な制御情報を、制御情報記憶部２５５から読み出し、セレクタ２３３に供給する。セレクタ２３３においては、信号線は、制御信号の通信路に切り替えられているので、サンプリング周波数Fs=64kHzのLPCM方式に変更するのに必要な制御情報は、信号線を介して、制御信号として被制御部２３４それぞれに送信される。
【０１５１】
一方、被制御部２３４において、サンプリング周波数Fs=64kHzのLPCM方式に変更するのに必要な制御情報を含む制御信号が、信号線を介して送信されてきた場合、信号判定部２７５は、その制御信号を信号線通信制御部２７４から取得する。制御情報取得部２７２は、その制御信号から制御情報を取得し、機能変更部２７７に供給する。機能変更部２７７は、制御情報取得部２７２から供給された制御情報に基づいて、音声信号処理部２７６の機能を、サンプリング周波数Fs=64kHzのLPCM方式に対応するように変更する。
【０１５２】
また、制御部２３２において、例えば、ユーザの操作（命令）により、命令コード「２０１２」が入力された場合、入力制御部２５１は、命令コード「２０１２」に対応する制御内容情報が、通信路判断テーブル２５２に記憶されていない旨の判定結果を、通信路選択部２５３に供給する。通信路選択部２５３は、セレクタ２３３に、信号線を入力信号の通信路のままとさせるとともに、命令コード「２０１２」を制御線通信制御部２５４に供給する。制御線通信制御部２５４は、通信路選択部２５３から供給された命令コード「２０１２」を基に、音声信号のレベル（ゲイン）を変更するのに必要な制御情報を、制御情報記憶部２５５から読み出し、セレクタ２３３に供給する。セレクタ２３３においては、信号線は、入力信号の通信路のままとされているので、音声信号のレベルを変更するのに必要な制御情報は、制御線を介して、所定の被制御部２３４に送信される。
【０１５３】
一方、被制御部２３４において、音声信号のレベルを変更するのに必要な制御情報を含む制御信号が、制御線を介して送信されてきた場合、制御情報取得部２７２は、その制御信号から制御情報を取得し、パラメータ設定部２７３に供給する。パラメータ設定部２７３は、制御情報取得部２７２から供給された制御情報に基づいて、音声信号処理部２７６の動作パラメータを変更することで、音声信号のレベルを変更する。
【０１５４】
以上の処理により、制御部２３２は、命令コードに応じて、制御情報を送信する通信路を選択することができ、被制御部２３４は、制御線または信号線を介して送信されてきた制御情報に基づいて、制御の内容を実行することができる。
【０１５５】
結果として、制御情報の情報量が大きい場合には、制御部２３２は、広帯域な信号線を介して、制御信号を被制御部２３４に送信することができ、被制御部２３４は、その制御情報に基づいて、音声信号処理部２７６の機能を変更することができる。また、制御情報の情報量が小さい場合には、制御部２３２は、狭帯域な制御線を介して、制御信号を被制御部２３４に送信することができ、被制御部２３４は、その制御情報に基づいて、音声信号処理部２７６の動作パラメータを設定することができる。したがって、通信路の負荷を安定させることができるので、被制御部２３４の数が増えた場合でも、被制御部２３４の制御を安定して行うことができる。
【０１５６】
以上においては、制御部が、セレクタにおける信号線の切り替えを指示する構成について説明してきたが、制御部自身が、信号線の切り替えをするようにすることもできる。
【０１５７】
図１８は、制御部自身が信号線の切り替えをする場合の、信号処理装置の構成例を示している。
【０１５８】
なお、図１８においては、図１と対応する構成には同一の符号を付してあり、その説明は省略する。すなわち、図１８の信号処理装置３１１は、制御部３２およびセレクタ３３に代わって、制御部３３１を備えている以外は、基本的に、図１の信号処理装置１１と同様の構成を有するものである。
【０１５９】
制御部３３１は、図１の制御部３２の機能と、セレクタ３３の機能とを併せ持つ。
【０１６０】
図１９は、制御部３３１の具体的な構成例を示している。
【０１６１】
なお、図１９においては、図２と対応する構成には同一の符号を付してあり、その説明は省略する。すなわち、図１９の制御部３３１は、セレクタ３５１が新たに備えている以外は、基本的に、図２の制御部３２と同様の構成を有するものである。
【０１６２】
また、セレクタ３５１は、図１のセレクタ３３と同様の機能を有するので、その説明も省略する。
【０１６３】
このように、制御部が、その内部にセレクタを含む構成することもできる。
【０１６４】
なお、図１９の制御部３３１における通信路選択処理は、図３のフローチャートを参照して説明した、図２の制御部３２における通信路選択処理と同様であるので、その説明は省略する。
【０１６５】
図１９の制御部３３１においても、制御情報の情報量が大きい場合には、広帯域な信号線を介して、制御信号を被制御部３４に送信することができ、制御情報の情報量が小さい場合には、狭帯域な制御線を介して、制御信号を被制御部３４に送信することができる。したがって、通信路の負荷を安定させることができるので、被制御部３４の数が増えた場合でも、被制御部３４の制御を安定して行うことができる。
【０１６６】
以上においては、被制御部が直列に信号処理を行う構成について説明してきたが、１つの入力信号に対して、複数の被制御部が並列に信号処理を施して、１つの出力信号として出力するようにすることもできる。
【０１６７】
図２０は、複数の被制御部が並列に信号処理を施す信号処理装置の構成例を示している。
【０１６８】
なお、図２０においては、図１と対応する構成には同一の符号を付してあり、その説明は省略する。すなわち、図２０の信号処理装置５１１は、被制御部３４−２に代わって、被制御部３４−２−１乃至３４−２−Ｎ（Ｎは２以上の整数）を備え、被制御部３４−４を備えていない以外は、基本的に、図１の信号処理装置１１と同様の構成を有するものである。
【０１６９】
信号処理装置５１１においては、被制御部３４−１、被制御部３４−２−１乃至３４−２−Ｎ、および被制御部３４−３（以下、単に、被制御部３４とも称する）は、制御線によって、デイジーチェーンで接続されている。
【０１７０】
被制御部３４−１は、入力信号を分割し、その結果得られた分割信号を、信号線を介して、被制御部３４−２−１乃至３４−２−Ｎそれぞれに供給する。また、被制御部３４−１は、信号線を介して、制御信号を、被制御部３４−２−１乃至３４−２−Ｎそれぞれに供給する。
【０１７１】
被制御部３４−２−１乃至３４−２−Ｎは、それぞれ、被制御部３４−１から信号線を介して供給された分割信号に対して所定の信号処理を施し、信号線を介して、被制御部３４−３に供給する。また、被制御部３４−２−１乃至３４−２−Ｎのうちのいずれか１つ、例えば、被制御部３４−２−１は、信号線を介して、制御信号を、被制御部３４−３に供給する。
【０１７２】
被制御部３４−３は、被制御部３４−２−１乃至３４−２−Ｎそれぞれから供給された分割信号を、１つの出力信号に統合して出力する。
【０１７３】
信号処理装置５１１の被制御部３４においては、被制御部３４−１が入力信号を分割したり、被制御部３４−３が分割信号を統合したりするが、信号の分割や統合を１つの信号処理とした場合、被制御部３４は、基本的には、図３の被制御部３４と同様の構成を有するものとみなすことができる。
【０１７４】
したがって、図２０の被制御部３４においても、制御線を介して送信されてきた、情報量の少ない制御情報に基づいて、信号処理部の動作パラメータを設定する他、信号線を介して送信されてきた、情報量の多い制御情報に基づいて、信号処理部の機能を変更することができる。すなわち、被制御部３４は、通信路の負荷に応じて送信されてきた制御情報によって、制御部３２により指示された制御の内容を実行することができ、制御部３２は、図２０のように被制御部３４の数が増えた場合でも、被制御部３４の制御を安定して行うことができる。
【０１７５】
以上においては、１つの入力信号に対して、複数の被制御部が並列に信号処理を施して、１つの出力信号として出力する構成について説明してきたが、１つの入力信号に対して、複数の被制御部が並列に信号処理を施して、複数の出力信号として出力するようにすることもできる。
【０１７６】
図２１は、複数の被制御部が並列に信号処理を施して、複数の出力信号として出力する信号処理装置の構成例を示している。
【０１７７】
なお、図２１においては、図２０と対応する構成には同一の符号を付してあり、その説明は省略する。すなわち、図２１の信号処理装置６１１は、被制御部３４−３に代わって、被制御部３４−３−１乃至３４−３−Ｎを備えている以外は、基本的に、図２０の信号処理装置５１１と同様の構成を有するものである。
【０１７８】
信号処理装置６１１においては、被制御部３４−１、被制御部３４−２−１乃至３４−２−Ｎ、および被制御部３４−３−１乃至３４−３−Ｎ（以下、単に、被制御部３４とも称する）は、制御線によって、デイジーチェーンで接続されている。
【０１７９】
被制御部３４−２−１乃至３４−２−Ｎは、それぞれ、被制御部３４−１から信号線を介して供給された分割信号に対して所定の信号処理を施し、被制御部３４−３−１乃至３４−３−Ｎそれぞれに供給する。また、被制御部３４−２−１乃至３４−２−Ｎは、それぞれ、被制御部３４−１から信号線を介して供給された制御信号を、被制御部３４−３−１乃至３４−３−Ｎそれぞれに供給する。
【０１８０】
被制御部３４−３−１乃至３４−３−Ｎは、それぞれ、被制御部３４−２−１乃至３４−２−Ｎそれぞれから供給された分割信号に対して、所定の信号処理を施し、出力信号として出力する。
【０１８１】
信号処理装置６１１の被制御部３４においては、被制御部３４−１が入力信号を分割するが、信号の分割を１つの信号処理とした場合、被制御部３４は、基本的には、図３の被制御部３４と同様の構成を有するものとみなすことができる。
【０１８２】
したがって、図２１の被制御部３４においても、制御線を介して送信されてきた、情報量の少ない制御情報に基づいて、信号処理部の動作パラメータを設定する他、信号線を介して送信されてきた、情報量の多い制御情報に基づいて、信号処理部の機能を変更することができる。すなわち、被制御部３４は、通信路の負荷に応じて送信されてきた制御情報によって、制御部３２により指示された制御の内容を実行することができ、制御部３２は、図２１のように被制御部３４の数が増えた場合でも、被制御部３４の制御を安定して行うことができる。
【０１８３】
以上においては、１つの入力信号に対して、複数の被制御部が並列に信号処理を施して、複数の出力信号として出力する構成について説明してきたが、複数の入力信号に対して、複数の被制御部が並列に信号処理を施して、１つの出力信号として出力するようにすることもできる。
【０１８４】
図２２は、複数の入力信号に対して、複数の被制御部が並列に信号処理を施して、１つの出力信号として出力する信号処理装置の構成例を示している。
【０１８５】
なお、図２２においては、図２０と対応する構成には同一の符号を付してあり、その説明は省略する。すなわち、図２２の信号処理装置７１１は、セレクタ３３に代わって、セレクタ３３−１乃至３３−Ｎを備え、被制御部３４−１に代わって、被制御部３４−１−１乃至３４−１−Ｎを備えている以外は、基本的に、図２０の信号処理装置５１１と同様の構成を有するものである。
【０１８６】
制御部３２は、操作入力部３１からの操作信号に応じて、通信路を切り替える旨の指示を、セレクタ３３−１乃至３３−Ｎに供給する。そして、制御部３２は、制御の内容を実行するための制御情報を、セレクタ３３−１乃至３３−Ｎおよび信号線を介して、被制御部３４−１−１乃至３４−１−Ｎの全部または一部に供給する。
【０１８７】
セレクタ３３−１乃至３３−Ｎは、それぞれ、制御部３２から供給された通信路を切り替える旨の指示に基づいて、信号線を、入力信号の通信路から、制御信号の通信路に切り替える。
【０１８８】
信号処理装置７１１においては、被制御部３４−１−１乃至３４−１−Ｎ、被制御部３４−２−１乃至３４−２−Ｎ、および被制御部３４−３（以下、単に、被制御部３４とも称する）は、制御線によって、デイジーチェーンで接続されている。
【０１８９】
被制御部３４−１−１乃至３４−１−Ｎは、それぞれに入力された入力信号に対して所定の信号処理を施し、被制御部３４−２−１乃至３４−２−Ｎそれぞれに供給する。また、被制御部３４−１−１乃至３４−１−Ｎは、それぞれ、セレクタ３３−１乃至３３−Ｎから供給された制御信号を、信号線を介して、被制御部３４−２−１乃至３４−２−Ｎそれぞれに供給する。
【０１９０】
被制御部３４−２−１乃至３４−２−Ｎは、それぞれ、被制御部３４−１−１乃至３４−１−Ｎから信号線を介して供給された分割信号に対して所定の信号処理を施し、被制御部３４−３に供給する。また、被制御部３４−２−１乃至３４−２−Ｎのうちのいずれか１つ、例えば、被制御部３４−２−１は、被制御部３４−１−１から供給された制御信号を、被制御部３４−３に供給する。
【０１９１】
信号処理装置７１１の被制御部３４においては、被制御部３４−３が入力信号を統合するが、信号の統合を１つの信号処理とした場合、被制御部３４は、基本的には、図３の被制御部３４と同様の構成を有するものとみなすことができる。
【０１９２】
したがって、図２２の被制御部３４においても、制御線を介して送信されてきた、情報量の少ない制御情報に基づいて、信号処理部の動作パラメータを設定する他、信号線を介して送信されてきた、情報量の多い制御情報に基づいて、信号処理部の機能を変更することができる。すなわち、被制御部３４は、通信路の負荷に応じて送信されてきた制御情報によって、制御部３２により指示された制御の内容を実行することができ、制御部３２は、図２２のように被制御部３４の数が増えた場合でも、被制御部３４の制御を安定して行うことができる。
【０１９３】
以上においては、複数の入力信号に対して、複数の被制御部が並列に信号処理を施して、１つの出力信号として出力する構成について説明してきたが、複数の入力信号に対して、複数の被制御部が並列に信号処理を施して、複数の出力信号として出力するようにすることもできる。
【０１９４】
図２３は、複数の入力信号に対して、複数の被制御部が並列に信号処理を施して、複数の出力信号として出力する信号処理装置の構成例を示している。
【０１９５】
なお、図２３においては、図２２と対応する構成には同一の符号を付してあり、その説明は省略する。すなわち、図２３の信号処理装置８１１は、被制御部３４−３に代わって、被制御部３４−３−１乃至３４−３−Ｎを備えている以外は、基本的に、図２２の信号処理装置７１１と同様の構成を有するものである。
【０１９６】
また、被制御部３４−３−１乃至３４−３−Ｎは、図２１で説明した被制御部３４−３−１乃至３４−３−Ｎと同様であり、その説明も省略する。
【０１９７】
信号処理装置８１１においては、被制御部３４−１−１乃至３４−１−Ｎ、被制御部３４−２−１乃至３４−２−Ｎ、および被制御部３４−３−１乃至３４−３−Ｎ（以下、単に、被制御部３４とも称する）は、制御線によって、デイジーチェーンで接続されている。
【０１９８】
また、信号処理装置８１１の被制御部３４は、基本的には、図３の被制御部３４と同様の構成を有する。
【０１９９】
したがって、図２３の被制御部３４においても、制御線を介して送信されてきた、情報量の少ない制御情報に基づいて、信号処理部の動作パラメータを設定する他、信号線を介して送信されてきた、情報量の多い制御情報に基づいて、信号処理部の機能を変更することができる。すなわち、被制御部３４は、通信路の負荷に応じて送信されてきた制御情報によって、制御部３２により指示された制御の内容を実行することができ、制御部３２は、図２３のように被制御部３４の数が増えた場合でも、被制御部３４の制御を安定して行うことができる。
【０２００】
以上のように、例えば、信号処理装置１１では、制御部３２が、被制御部３４に対する制御の指示を表す命令コードと、被制御部３４が制御の内容を実行するための制御情報のうちの、情報量の多い制御情報とを対応付けた通信路判断テーブル５２を記憶し、複数の被制御部３４に対して制御が指示されたとき、通信路判断テーブル５２によって命令コードに対応付けられた制御情報を、信号線を介して、複数の被制御部３４に送信し、被制御部３４が、制御部３２から信号線を介して送信されてくる制御情報を受信し、制御情報に基づいて、制御の内容を実行するので、制御情報の情報量が大きい場合には、制御部３２は、広帯域な信号線を介して、制御信号を被制御部３４に送信することができ、被制御部３４は、その制御情報に基づいて、信号処理部７６の機能を変更することができる。また、制御情報の情報量が小さい場合には、制御部３２は、狭帯域な制御線を介して、制御信号を被制御部３４に送信することができ、被制御部３４は、その制御情報に基づいて、信号処理部７６の動作パラメータを設定することができる。したがって、通信路の負荷を安定させることができるので、被制御部３４の数が増えた場合でも、被制御部３４の制御を安定して行うことができる。
【０２０１】
なお、上述した信号処理装置における制御部および被制御部を、それぞれ、制御装置および信号処理装置として、信号処理システムを構成することで、制御装置が、複数の信号処理装置を制御するようにすることもできる。
【０２０２】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０２０３】
図２４は、上述した一連の処理をプログラムにより実行するコンピュータのハードウェアの構成例を示すブロック図である。
【０２０４】
コンピュータにおいて、CPU（Central Processing Unit）９０１，ROM（Read Only Memory）９０２，RAM（Random Access Memory）９０３は、バス９０４により相互に接続されている。
【０２０５】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【０２０６】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０２０７】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【０２０８】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０２０９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１０】
また、本明細書において、システムとは、複数の装置により構成される装置全体を表すものである。
【０２１１】
なお、本発明の実施の形態は、上述した実施の形態に限定されるものではなく、本発明の要旨を逸脱しない範囲において種々の変更が可能である。
【図面の簡単な説明】
【０２１２】
【図１】本発明を適用した信号処理装置の一実施の形態の構成例を示す図である。
【図２】図1の信号処理装置の制御部の構成例を示す図である。
【図３】図1の信号処理装置の被制御部の構成例を示す図である。
【図４】図1の信号処理装置の制御部の通信路選択処理について説明するフローチャートである。
【図５】図1の信号処理装置の被制御部の制御内容実行処理について説明するフローチャートである。
【図６】本発明を適用した映像処理装置の構成例を示す図である。
【図７】図６の映像処理装置の制御部の構成例を示す図である。
【図８】図６の映像処理装置の被制御部の構成例を示す図である。
【図９】図６の映像処理装置の制御部の通信路選択処理について説明するフローチャートである。
【図１０】図６の映像処理装置の被制御部の制御内容実行処理について説明するフローチャートである。
【図１１】通信路判断テーブルの例を示す図である。
【図１２】本発明を適用した音声処理装置の構成例を示す図である。
【図１３】図１２の音声処理装置の制御部の構成例を示す図である。
【図１４】図１２の音声処理装置の被制御部の構成例を示す図である。
【図１５】図１２の音声処理装置の制御部の通信路選択処理について説明するフローチャートである。
【図１６】図１２の音声処理装置の被制御部の制御内容実行処理について説明するフローチャートである。
【図１７】通信路判断テーブルの例を示す図である。
【図１８】信号処理装置の他の構成例を示す図である。
【図１９】図１８の信号処理装置の制御部の構成例を示す図である。
【図２０】信号処理装置のさらに他の構成例を示す図である。
【図２１】信号処理装置のさらに他の構成例を示す図である。
【図２２】信号処理装置のさらに他の構成例を示す図である。
【図２３】信号処理装置のさらに他の構成例を示す図である。
【図２４】本発明が適用される信号処理装置として機能するコンピュータのハードウェアの構成例を示すブロック図である。
【符号の説明】
【０２１３】
１１  信号処理装置，  ３１  操作入力部，  ３２  制御部，  ３３  セレクタ，  ３４  被制御部，  ５１  入力制御部，  ５２  通信路判断テーブル，  ５３  通信路選択部，  ５４  制御線通信制御部，  ５５  制御情報記憶部，  ５６  信号線通信制御部，  ７１  制御線通信制御部，  ７２  制御情報取得部，  ７３  パラメータ設定部，  ７４  信号線通信制御部，  ７５  信号判定部，  ７６  信号処理部，  ７７  機能変更部
【図１】
0004674614.tif 000002
【図２】
0004674614.tif 000003
【図３】
0004674614.tif 000004
【図４】
0004674614.tif 000005
【図５】
0004674614.tif 000006
【図６】
0004674614.tif 000007
【図７】
0004674614.tif 000008
【図８】
0004674614.tif 000009
【図９】
0004674614.tif 000010
【図１０】
0004674614.tif 000011
【図１１】
0004674614.tif 000012
【図１２】
0004674614.tif 000013
【図１３】
0004674614.tif 000014
【図１４】
0004674614.tif 000015
【図１５】
0004674614.tif 000016
【図１６】
0004674614.tif 000017
【図１７】
0004674614.tif 000018
【図１８】
0004674614.tif 000019
【図１９】
0004674614.tif 000020
【図２０】
0004674614.tif 000021
【図２１】
0004674614.tif 000022
【図２２】
0004674614.tif 000023
【図２３】
0004674614.tif 000024
【図２４】
0004674614.tif 000025